(57)【要約】【課題】  ユーザ側でのＩＤ識別システムの構築を不要とし、転送効率を悪化させず、処理時間及び消費電力の増大を抑えることができる双方向無線システムを提供する。【解決手段】  送信側無線機で、無線フレームにおける同期部の同期用コード、同期ワード、データ部のシステム情報をＩＤコードとして送信し、受信側無線機で、同期用コードで相関ピークを検出し、同期ワードで同期確立を行うと共に、同期用コード、同期ワード、システム情報をＩＤコードとしてＩＤ識別し、識別された場合にユーザのデータを受信する双方向無線システムである。【選択図】        図２
2009273044.tif 000002
【特許請求の範囲】
【請求項１】
受信側無線機は送信側無線機からの送信信号を間欠受信し、送信側無線機と受信側無線機で個体識別を行う双方向無線システムであって、
送信側無線機が、無線フレームの同期部で、同期を検出するための同期信号を個体識別のコードとして送信し、
受信側無線機が、無線フレームの同期部における同期信号で同期を検出し、更に、当該同期信号が送受信間で予め定められた個体識別のコードである場合に、ユーザのデータを受信することを特徴とする双方向無線システム。
【請求項２】
送信側無線機が、無線フレームの同期部で、データ部の先頭を検出するための同期ワードを個体識別のコードとして送信し、
受信側無線機が、無線フレームの同期部における同期ワードを検出し、更に、当該同期ワードが送受信間で予め定められた個体識別のコードである場合に、ユーザのデータを受信することを特徴とする請求項１記載の双方向無線システム。
【請求項３】
送信側無線機が、無線フレームのデータ部で、システム情報を個体識別のコードとして送信し、
受信側無線機が、無線フレームのデータ部におけるシステム情報が送受信間で予め定められた個体識別のコードである場合に、ユーザのデータを受信することを特徴とする請求項１又は２記載の双方向無線システム。
【請求項４】
受信側無線機が、個体識別が適正に為されてユーザのデータを受信すると、送信側にＡＣＫビットを送信することを特徴とする請求項１乃至３のいずれか記載の双方向無線システム。
【請求項５】
送信側無線機と受信側無線機は、スペクトラム拡散方式を採用した微弱電波で動作する無線機であることを特徴とする請求項１乃至４のいずれか記載の双方向無線システム。
【発明の詳細な説明】
【技術分野】
【０００１】
本発明は、双方向無線システムに係り、特に、個体識別を行うに当たり、伝送効率の改善と消費電力の低減を実現した双方向無線システムに関する。
【背景技術】
【０００２】
［従来の双方向無線システム：図６］
従来の双方向無線システムについて図６を参照しながら説明する。図６は、従来の双方向無線システムの概略図である。
従来の双方向無線システムとして、例えば、イベント型双方向無線システムは、図６に示すように、子機１０と親機２０の２つの無線機から成り、スペクトラム拡散方式（ＳＳ：Spread Spectrum）を採用した微弱電波で動作する無線機を用いている。
【０００３】
子機１０は、ＴＸ（送信）部１１と、ＲＸ（受信）部１２と、スイッチ等の入力装置１３と、ＬＥＤ等の表示装置１４と、アンテナ１５を備えている。
親機２０は、ＴＸ（送信）部２１と、ＲＸ（受信）部２２と、ＬＥＤ等の表示装置２３と、アンテナ２４を備えている。
【０００４】
例えば、無線機（子機）１０側で、無線機（親機）２０に対して、動作させたいことが起こった場合、入力装置（スイッチ等）１３を動作させることにより、動作命令を送信し、その命令で、親機２０を動作させる。
【０００５】
図６の双方向無線システムは、子機１０が主導で動作するものであり、親機２０は、子機１０の送信を間欠受信することで、子機１０からの命令を受信して動作する。子機１０は、動作させたいときだけ、動作状態にするので、超低消費電力な装置を実現できる。
【０００６】
また、命令の伝達状況の応答や親機２０の状態情報を表示装置（ＬＥＤ等）１４に表示できるようにしたＳＳ方式を採用した双方向通信（半２重）可能な微弱無線システムである。
【０００７】
［個体識別］
双方向無線システムは、対向する２つ、若しくは複数の無線機によって構成されている。
複数の無線機によって構成されている場合、それぞれの情報が混在しないように、ＩＤ（Identification）と呼ばれる個体識別を行うための符号を用いた技術が用いられている。
例えば、親機と子機との間で、個別にＩＤコードを持っていると、当該ＩＤコードが一致した情報のみを受け取ることができるようになっている。
【０００８】
［無線フレーム：図７］
双方向無線システムにおける無線フレームについて図７を参照しながら説明する。図７は、従来の無線フレームを示す図である。
従来の無線フレームは、図７に示すように、同期部として、信号をオン／オフする時間となるガード、同期信号（Preamble）、先頭データ検知信号（Sync）、ガードで構成され、データ部として、システム情報（INFO）、ユーザのデータ（DATA）、ガードで構成されている。
【０００９】
そして、無線フレームの同期部で、同期信号の有無を見つけて、同期ワード（Sync）を検知することで、親機と子機との無線間で同期確立を行い、同期完了できると、システム情報とユーザのデータを送信するものとなっている。
【００１０】
例として、車のリモートキーレスエントリー（ＲＫＥ）に使用されている無線機のＩＤ識別方法を説明する。主に、ローリングコード方式と呼ばれる技術で実現されており、これは、セキュリティ性を高めるために、ＩＤコードを送信毎に毎回変化させる方式で、ＩＤコードはユーザのデータでデコードされて送信され、受信側では、エンコードされて認識される。
【００１１】
尚、関連する先行技術として、特表２００３−５００９１２号公報（特許文献１）がある。
特許文献１には、基地局は、使われていない符号があれば、その符号を選択し、選択した符号の識別子を含む受信確認のメッセージをユーザ装置に伝送することが示されている。
そして、識別子を送る手法は、ＡＣＫメッセージに余分なビットを付加することが記載されている。
【００１２】
【特許文献１】特表２００３−５００９１２号公報
【発明の開示】
【発明が解決しようとする課題】
【００１３】
しかしながら、上記従来のＩＤ認識を行う双方向無線システムでは、ユーザがＩＤ認識の仕組みを構築する必要があるため、システム構成が複雑になるという問題点があった。
【００１４】
また、従来のシステムでは、ＩＤコードをユーザデータに組み込む必要があり、アクセス時間（送信時間）が、そのＩＤコードとしての使用ビット数分長くなるため、ユーザデータの転送効率が悪くなるという問題点があった。
【００１５】
従来のシステムでは、ユーザアプリケーションでＩＤ照合を行う必要があるため、処理時間が増加するという問題点があった。
【００１６】
また、従来のシステムでは、ＩＤコードの判別をユーザ側のアプリケーションで行うため、もし、ＩＤコードが不一致だった場合に、ユーザのシステムがその都度動作してしまうため、消費電力が増加し、同一システムが多数存在するときは、消費電力が増大してしまうという問題点があった。
【００１７】
本発明は上記実情に鑑みて為されたもので、ユーザ側でのＩＤ識別システムの構築を不要とし、転送効率を悪化させず、処理時間及び消費電力の増大を抑えることができる双方向無線システムを提供することを目的とする。
【課題を解決するための手段】
【００１８】
上記従来例の問題点を解決するための本発明は、受信側無線機は送信側無線機からの送信信号を間欠受信し、送信側無線機と受信側無線機で個体識別を行う双方向無線システムであって、送信側無線機が、無線フレームの同期部で、同期を検出するための同期信号を個体識別のコードとして送信し、受信側無線機が、無線フレームの同期部における同期信号で同期を検出し、更に、当該同期信号が送受信間で予め定められた個体識別のコードである場合に、ユーザのデータを受信することを特徴とする。
【００１９】
本発明は、上記双方向無線システムにおいて、送信側無線機が、無線フレームの同期部で、データ部の先頭を検出するための同期ワードを個体識別のコードとして送信し、受信側無線機が、無線フレームの同期部における同期ワードを検出し、更に、当該同期ワードが送受信間で予め定められた個体識別のコードである場合に、ユーザのデータを受信することを特徴とする。
【００２０】
本発明は、上記双方向無線システムにおいて、送信側無線機が、無線フレームのデータ部で、システム情報を個体識別のコードとして送信し、受信側無線機が、無線フレームのデータ部におけるシステム情報が送受信間で予め定められた個体識別のコードである場合に、ユーザのデータを受信することを特徴とする。
【００２１】
本発明は、上記双方向無線システムにおいて、受信側無線機が、個体識別が適正に為されてユーザのデータを受信すると、送信側にＡＣＫビットを送信することを特徴とする。
【００２２】
本発明は、上記双方向無線システムにおいて、送信側無線機と受信側無線機は、スペクトラム拡散方式を採用した微弱電波で動作する無線機であることを特徴とする。
【発明の効果】
【００２３】
本発明によれば、受信側無線機は送信側無線機からの送信信号を間欠受信し、送受信間で個体識別を行う双方向無線システムであって、送信側無線機が、無線フレームの同期部で、同期を検出するための同期信号を個体識別のコードとして送信し、受信側無線機が、無線フレームの同期部における同期信号で同期を検出し、更に、当該同期信号が送受信間で予め定められた個体識別のコードである場合に、ユーザのデータを受信するようにしているので、システム構築を簡易にし、転送効率を向上させ、処理時間及び消費電力の増大を抑えることができる効果がある。
【００２４】
本発明によれば、送信側無線機が、無線フレームの同期部で、データ部の先頭を検出するための同期ワードを個体識別のコードとして送信し、受信側無線機が、無線フレームの同期部における同期ワードを検出し、更に、当該同期ワードが送受信間で予め定められた個体識別のコードである場合に、ユーザのデータを受信する上記双方向無線システムとしているので、システム構築を簡易にし、転送効率を向上させ、処理時間及び消費電力の増大を抑えることができる効果がある。
【００２５】
本発明によれば、送信側無線機が、無線フレームのデータ部で、システム情報を個体識別のコードとして送信し、受信側無線機が、無線フレームのデータ部におけるシステム情報が送受信間で予め定められた個体識別のコードである場合に、ユーザのデータを受信する上記双方向無線システムとしているので、システム構築を簡易にし、転送効率を向上させ、処理時間及び消費電力の増大を抑えることができる効果がある。
【発明を実施するための最良の形態】
【００２６】
本発明の実施の形態について図面を参照しながら説明する。
［発明の概要］
本発明の実施の形態に係る双方向無線システムは、送信側で、無線フレームにおける同期部の同期用コード、同期ワード、データ部のシステム情報をＩＤコードとして送信し、受信側で、同期用コード、同期ワード、システム情報をＩＤコードとしてＩＤ識別するようにしているので、ユーザ自身がＩＤ識別システムを構築する必要がなく、データ内でＩＤ認識を行わないため、アクセス時間及びレスポンス時間が高速化し、ユーザアプリケーションでＩＤ照合を行わないため、消費電力を低減できる。
【００２７】
［無線機の構成：図１］
本発明の実施の形態に係る双方向無線システム（本システム）の無線機について図１を参照しながら説明する。図１は、本発明の実施の形態に係る無線機の構成ブロック図である。
本発明の実施の形態に係る無線機（本無線機）は、図１に示すように、制御部１と、信号処理部２と、無線部３と、アンテナ部４とを基本的に有している。
【００２８】
［各部］
本無線機の各部について具体的に説明する。
制御部１は、接続する装置（図示していない）から入力されたデータを信号処理部２に出力する。
そして、制御部１は、そのデータ出力前に、同期用コード（プリアンブルコード）、同期ワード（Sync）、システム情報（Info）をＩＤコードとして出力する。
【００２９】
また、制御部１は、信号処理部２から入力された同期用コード、同期ワード、システム情報からＩＤコードを取得し、取得したＩＤコードが自己のＩＤコードと一致するか否かを判定し、一致する場合に、信号処理部２で復号した受信データを取り込む。
【００３０】
信号処理部２は、制御部１から入力されたデータを拡散変調及びキャリア変調し、無線部３に出力する。
また、信号処理部２は、無線部１から入力された信号をキャリア復調し、逆拡散して同期した信号を復調し、受信データの復号を行って制御部１に出力する。
【００３１】
無線部３は、信号処理部２から入力された信号をＲＦ（無線周波数：Radio Frequency）帯域に変換し、帯域制限して微弱無線局の電界強度レベル内で高周波増幅してアンテナ部４に出力する。
また、無線部３は、アンテナ部４から取り込まれた信号を増幅し、帯域制限してＩＦ（中間周波数：Intermediate Frequency）帯域にダウンコンバートし、更に、信号処理部２への入力レベルに増幅する。
【００３２】
アンテナ部４は、無線部３から入力された信号を電波として放出する。
また、アンテナ部４は、取り込んだ電波を無線部３に出力する。
【００３３】
［処理概要：図２］
次に、本発明の実施形態に係る親機間欠受信処理の概略について図２を参照しながら説明する。図２は、親機間欠受信処理の概略を示すフローチャートである。
親機において、図２に示すように、間欠受信を行い（Ｓ１）、受信の期間に入ると、相関ピーク検出処理を行い（Ｓ２）、相関ピークの有無を判定する（Ｓ３）。相関ピークがなければ（Ｎｏの場合）、間欠受信Ｓ１に戻る。
【００３４】
相関ピークの有無の判定処理Ｓ３において、相関ピークがあれば（Ｙｅｓの場合）、同期用コードを検索する（Ｓ４）。そして、同期用コードについてＩＤコードの認証を行い（Ｓ５）、認証できなければ（Ｎｏの場合）、間欠受信Ｓ１に戻る。
【００３５】
同期用コードについてＩＤコードの認証処理Ｓ５で、認証できれば（Ｙｅｓの場合）、相関ピークの確立処理を行い（Ｓ６）、次ぎに、同期ワードの検索を行う（Ｓ７）。
そして、同期ワードについてＩＤコードの認証を行い（Ｓ８）、認証できなければ（Ｎｏの場合）、間欠受信Ｓ１に戻る。
【００３６】
同期ワードについてＩＤコードの認証処理Ｓ８で、認証できれば（Ｙｅｓの場合）、システム情報の検索を行い（Ｓ９）、次ぎに、ユーザデータの受信処理を行う（Ｓ１０）。
そして、システム情報についてＩＤコードの認証を行い（Ｓ１１）、認証できなければ（Ｎｏの場合）、間欠受信Ｓ１に戻る。
システム情報についてＩＤコードの認証処理Ｓ１１で、認証できれば（Ｙｅｓの場合）、親機の間欠受信処理を終了する。
【００３７】
［同期用コード：図３］
同期用コード（プリアンブルコード）は、相互相関などにより、間違った相関ピークを誤検出してしまった場合に、正しい相関ピークであるかどうかをチェックするためのコードである。
同期用コードは、８ビットで構成されていて、「０」と「１」の数量の比率が同じで、それぞれ４ビットずつになる値のみが有効になり、そのような組合せが７０通りある。
【００３８】
バイナリ（Binary）標記で、「0000111100001111」（Ｅ１）となるように「０」と「１」の比率が同じになるパターン（例えば「00111100」（３Ｃ）、「11100001（１Ｅ）」が繰り返されるＩＤコード同士では、誤検出が発生する。同一パターンの表を図３に示す。図３は、同一パターンを示す図である。
図３に示すように、同一パターンは１０パターンになる。よって、同期用コードとして使用可能なＩＤコードは１０通り存在する。
【００３９】
［同期ワード］
同期ワード（Sync）は、データ部の先頭を検知する。同期ワードで、同期が完了することで、ユーザデータを受信することができる。同期ワードは、８ビットで構成されていて、ＩＤコードとして使用した場合、２５６パターンのＩＤを使用することが可能である。
【００４０】
［システム情報］
システム情報（Info）は、受信したデータが命令データなのか、応答データなのかを識別するデータである。システム情報は、８ビットで構成されていて、Ｈ′（ヘキサ）００とＨ′ＦＦは特殊なコードとして使用している。
【００４１】
命令のシステム情報がＨ′Ａ５であるときの応答のシステム情報はＨ′５Ａとなるように、命令と応答で上位４ビットが反転することにより、命令データであるのか応答データであるのか識別している。
【００４２】
システム情報をＩＤコードとして使用した場合、システム情報のステータスフラグをチェックすることによりＩＤ照合を行い、１２７（＝（２５６−２）／２）パターンのＩＤコードを使用することが可能である。
尚、システム情報のステータスフラグのチェックは、ステータスフラグが送信側と受信側で一致していれば正常で、不一致の場合は誤検出となる。
【００４３】
［設定可能ＩＤ］
上述したとおり、（１）同期用コードで１０パターン、（２）同期ワードで２５６パターン、（３）システム情報で１２７パターンのＩＤが設定可能である。
上記の３つのＩＤコードを使用することができ、それぞれのＩＤを組み合わせると、まず、（１）のみを使用する場合は、１０パターン、（１）と（２）を使用する場合、２５６０パターン（１０×２５６）、（１）と（２）と（３）を使用する場合、３２５１２０パターン（１０×２５６×１２７）のＩＤを生成することができる。
【００４４】
最大３２５１２０のＩＤコードを設定することが可能で、（１）のみを使用する場合、（１）と（２）を使用する場合など、ＩＤ照合数を少なくして処理を軽減することができ、実現したいシステムに合わせて、照合したいシステムを決めることができる。
【００４５】
尚、最大３２５１２０のＩＤコードを設定した場合は、ＩＤ照合に時間が掛かり、更に消費電力を増大させることを考慮する必要がある。
また、上記（２）の同期ワードのみを使用する場合は、ノイズの影響で誤検出してしまう可能性があるため、（２）のみでの使用は妥当ではない。
【００４６】
［本システムの利点］
本システムのように、同期用コード、同期ワード、システム情報を用いてＩＤ識別を行うようにしているので、ＩＤ識別システムをユーザ側のアプリケーションで構築する必要がなく、製品側のシステムで構築することが実現できる。これにより、以下の利点が生まれる。
【００４７】
［安易なシステム構築可能］
ユーザがＩＤ識別システムを自ら構築する手間を除くことができるので、簡易なシステムとして構築できる。
【００４８】
［アクセス時間の高速化］
ユーザデータの中にＩＤコードを組み込む必要がないため、ユーザデータの転送容量を削減することができ、送信時間（アクセス時間）を高速化でき、ユーザデータ転送効率を向上させることができる。
【００４９】
［レスポンス時間の高速化］
ユーザ側のアプリケーションにおいて、ＩＤ照合を行う必要がなくなり、処理時間を削減できる。
【００５０】
［ＩＤ不一致時の低消費電力化］
同一システムが多数存在するときに、製品のシステムでＩＤ照合を行うため、ユーザのシステムがその都度動作する必要がなくなり、消費電力を削減できる。
【００５１】
［本無線機の具体的構成］
次ぎに、本無線機を実現するための具体的構成について図４、図５を参照しながら説明する。図４は、制御部の送信機能構成ブロック図であり、図５は、制御部の受信機能構成ブロック図である。尚、図４と図５は、各々（Ａ）と（Ｂ）で接続され、一体の制御部を形成している。
【００５２】
［制御部の送信機能構成：図４］
制御部１の送信機能構成は、図４に示すように、ユーザインタフェース１０１と、ＩＤ記憶部１０２と、送信制御回路１０３と、ＡＣＫビット記憶部１０４と、ＩＮＦＯビット記憶部１０５と、同期ビット（プリアンブルコード／同期ワード）記憶部１０６と、送信バッファ１０７と、ステータス情報記憶部１０８とを有している。
【００５３】
ユーザインタフェース１０１は、ユーザアプリケーションを動作させる回路（図示せず）とのデータの入出力を制御する。具体的には、ユーザインタフェース１０１は、上記回路からデータ（ユーザデータ）を入力すると、送信バッファ１０７に当該データを記憶させ、ＩＤ記憶部１０２にＩＤコードの出力を促す。
【００５４】
ＩＤ記憶部１０２は、ＩＤコードを記憶し、ユーザインタフェース１０１からの送信指示により記憶するＩＤコードをＩＮＦＯビット記憶部１０５と、同期ビット（プリアンブルコード／同期ワード）記憶部１０６に出力する。
【００５５】
具体的には、ＩＤ記憶部１０２には、ＩＤコードとしてプリアンブルコード（８ビット）用のＩＤ部分と、同期ワード用のＩＤ部分と、ＩＮＦＯビット用のＩＤ部分を記憶しており、プリアンブルコード用のＩＤ部分と同期ワード用のＩＤ部分を同期ビット（プリアンブルコード／同期ワード）記憶部１０６に出力し、ＩＮＦＯビット用のＩＤ部分をＩＮＦＯビット記憶部１０５に出力する。
【００５６】
ＡＣＫビット記憶部１０４は、ＡＣＫビットを記憶する。
同期ビット（プリアンブルコード／同期ワード）記憶部１０６は、ＩＤ記憶部１０２からのプリアンブルコード用のＩＤ部分と同期ワード用のＩＤ部分を記憶する。
ＩＮＦＯビット記憶部１０５は、ＩＤ記憶部１０２からのＩＮＦＯビット用のＩＤ部分を記憶する。
【００５７】
送信バッファ１０７は、ユーザインタフェース１０１から入力されるユーザデータを送信用に記憶する。
送信制御回路１０３は、送信処理を行うに当たり、ＩＤ記憶部１０２に記憶されたＩＤコードについて対応するＩＤ部分を同期ビット記憶部１０６とＩＮＦＯビット記憶部１０５に出力させる。
【００５８】
また、送信制御回路１０３は、無線フレームの同期部において、同期ビット記憶部１０６に記憶されたプリアンブルコード用のＩＤ部分をプリアンブルコードとし、同期ワード用のＩＤ部分を同期ワードとして信号処理部２に出力する。
【００５９】
また、送信制御回路１０３は、無線フレームのデータ部において、ＩＮＦＯビット記憶部１０５に記憶されたＩＮＦＯビット用のＩＤ部分をシステム情報として信号処理部２に出力すると共に、送信バッファ１０７に記憶されたユーザデータをデータとして信号処理部２に出力する。
【００６０】
そして、送信制御回路１０３は、送信したデータへの応答に対してＡＣＫビット記憶部１０４に記憶されたＡＣＫビットを信号処理部２に出力する。
また、送信制御回路１０３は、送信に関するステータス情報をステータス情報記憶部１０８に出力する。
【００６１】
ステータス情報記憶部１０８は、送信制御回路１０３から入力される送信に関するステータス情報を記憶する。また、ステータス情報記憶部１０８は、受信制御回路１１０からステータス情報が参照されるようになっている。
【００６２】
［制御部の受信機能構成：図５］
制御部１の受信機能構成は、図５に示すように、ユーザインタフェース１０１と、無線ステート・ベースカウンタ１０９と、受信制御回路１１０と、ＡＣＫ判定回路１１１と、ＩＮＦＯ判定回路１１２と、同期判定回路１１３と、受信バッファ１１４と、ステータス情報記憶部１１５とを有している。
【００６３】
同期判定回路１１３は、受信した同期ビット（プリアンブルコード／同期ワード）について、プリアンブルコードで相関ピークの検出処理を行い、同期ワードで同期確立の処理を行い、相関ピークが検出されて同期が確立されると、プリアンブルコードと同期ワードのＩＤの判定（同期判定）処理を行う。この同期判定がＯＫの場合に、ＩＮＦＯ判定回路１１２での判定処理が行われる。
【００６４】
ＩＮＦＯ判定回路１１２は、システム情報についてＩＤの判定（ＩＮＦＯ判定）処理を行う。このＩＮＦＯ判定がＯＫの場合に、受信バッファ１１４に記憶されたデータをユーザインタフェース１０１に出力する。
【００６５】
ＡＣＫ判定回路１１１は、受信したＡＣＫ信号について判定処理を行う。
ステータス情報記憶部１１５は、受信に関するステータス情報を記憶するもので、受信制御回路１１０、ＡＣＫ判定回路１１１、ＩＮＦＯ判定回路１１２、同期判定回路１１３からステータス情報を入力する。
【００６６】
受信制御回路１１０は、無線フレームの同期部におけるプリアンブルコード／同期ワードについて同期判定回路１１３に同期判定を行わせる。
そして、受信制御回路１１０は、同期判定回路１１３における同期判定がＯＫの場合に、ＩＮＦＯ判定回路１１２にＩＮＦＯ判定を行わせると共に、受信バッファ１１４にデータを記憶する。同期判定がＮＧの場合は、ＩＮＦＯ判定も受信バッファ１１４へのデータ格納も行わない。
【００６７】
また、受信制御回路１１０は、ＡＣＫ判定処理のために、送信に関するステータス情報をステータス情報記憶部１０８から読み込み、ＡＣＫ判定回路１１１に出力する。
また、受信制御回路１１０は、受信に関するステータス情報をステータス情報記憶部１１５に出力する。
【００６８】
無線ステート・ベースカウンタ１０９は、受信制御回路１１０、送信バッファ１０７等に接続し、無線状態をカウントし、無線フレームにおける同期部、データ部の期間、受信待ちの期間、タイムアウトの期間等をカウントし、命令プリアンブル長と応答プリアンブル長の期間を計測する。
【００６９】
［応用例］
図４において、送信制御回路１０３は、ユーザの仕様、システム環境に応じて、ＩＤコードとして、プリアンブルコード、同期ワード、システム情報のいずれか、またはこれらの組合せを任意に選択でき、図５において、受信制御回路１１０は、送信側の選択に応じて、いずれの判定回路を動作可能にするかを選択できるようになっている。
【００７０】
［実施の形態の効果］
本システムによれば、無線フレームにおける同期部の同期用コード、同期ワード、データ部のシステム情報をＩＤコードとしてＩＤ識別するようにしているので、ユーザ自身がＩＤ識別システムを構築する必要がなく、データ内でＩＤ認識を行わないため、アクセス時間及びレスポンス時間が高速化し、ユーザアプリケーションでＩＤ照合を行わないため、消費電力を低減できる効果がある。
【産業上の利用可能性】
【００７１】
本発明は、ユーザ側でのＩＤ識別システムの構築を不要とし、転送効率を悪化させず、処理時間及び消費電力の増大を抑えることができる双方向無線システムに好適である。
【図面の簡単な説明】
【００７２】
【図１】本発明の実施の形態に係る無線機の構成ブロック図である。
【図２】親機間欠受信処理の概略を示すフローチャートである。
【図３】同一パターンを示す図である。
【図４】制御部の送信機能構成ブロック図である。
【図５】制御部の受信機能構成ブロック図である。
【図６】従来の双方向無線システムの概略図である。
【図７】従来の無線フレームを示す図である。
【符号の説明】
【００７３】
１…制御部、  ２…信号処理部、  ３…無線部、  １０…子機、  １１…送信部、  １２…受信部、  １３…入力装置、  １４…表示装置、  １５…アンテナ、  ２０…親機、  ２１…送信部、  ２２…受信部、  ２３…表示装置、  ２４…アンテナ、  １０１…ユーザインタフェース、  １０２…ＩＤ記憶部、  １０３…送信制御回路、  １０４…ＡＣＫビット記憶部、  １０５…ＩＮＦＯビット記憶部、  １０６…同期ビット記憶部、  １０７…送信バッファ、  １０８…ステータス情報記憶部、  １０９…無線ステート・ベースカウンタ、  １１０…受信制御回路、  １１１…ＡＣＫ判定回路、  １１２…ＩＮＦＯ判定回路、  １１３…同期判定回路、  １１４…受信バッファ、  １１５…ステータス情報記憶部
【図１】
2009273044.tif 000003
【図２】
2009273044.tif 000004
【図３】
2009273044.tif 000005
【図４】
2009273044.tif 000006
【図５】
2009273044.tif 000007
【図６】
2009273044.tif 000008
【図７】
2009273044.tif 000009